(57)【要約】【課題】  プレスリリース情報を発信する側とその情報を受け取る側との双方にとって、有効で使いやすいインターネットを利用したプレスリリース支援システムに関する。【解決手段】  プレスリリースに関する情報データをウェブサーバに蓄積する情報データ蓄積手段と、この情報データを予め設定したカテゴリーに仕分けする分類仕分け手段と、この情報データのタイトル並びに概要をブラウザ画面に一覧表示するタイトル表示手段と、タイトル表示手段の該当情報データを前記ウェブサーバから読み出してブラウザ画面に詳細表示する情報データ表示手段と、情報データごとのアクセス数をカウントして報告するログレポート手段と、プレスリリース後一定期間を経過した情報データをまとめてウェブサーバに蓄積して過去のリリース情報としてブラウザ画面に表示する経過情報データ表示手段と、今後の記者会見の開催を表示する記者会見告知手段と、を備える。【選択図】  図１
2006209454.tif 000002
【特許請求の範囲】
【請求項１】
プレスリリースに関する情報データをウェブサーバに蓄積する情報データ蓄積手段と、この情報データを予め設定したカテゴリーに仕分けする分類仕分け手段と、この情報データのタイトル並びに概要をブラウザ画面に一覧表示するタイトル表示手段と、タイトル表示手段の該当情報データを前記ウェブサーバから読み出してブラウザ画面に詳細表示する情報データ表示手段と、情報データごとのアクセス数をカウントして報告するログレポート手段と、プレスリリース後一定期間を経過した情報データをまとめてウェブサーバに蓄積して過去のリリース情報としてブラウザ画面に表示する経過情報データ表示手段と、今後の記者会見の開催を告知する記者会見告知手段と、を備え、インターネットを介して上記全ての情報データの検索が可能となるように構成したことを特徴とするプレスリリース支援システム。
【請求項２】
商品提供可能である旨をブラウザ画面に表示するプレス向けサンプル提供表示手段を備えたことを特徴とする請求項１記載のプレスリリース支援システム。
【請求項３】
モバイルツールに情報データのタイトルと概要を配信するモバイル配信手段を備えたことを特徴とする請求項１又は２記載のプレスリリース支援システム。
【発明の詳細な説明】
【技術分野】
【０００１】
本発明はプレスリリース支援システムに係り、さらに詳しくは、プレスリリース情報を提供する側とその情報を受け取る側との双方にとって、有効で使いやすいインターネットを利用したプレスリリース支援システムに関する。
【背景技術】
【０００２】
報道機関に対して各種の情報提供（即ちプレスリリース）をしようとする際には、情報提供者（企業や団体の広報部又はＰＲ会社等）は個別の報道機関や報道関係者に対して、ＦＡＸ・郵便・メール等でその情報を一方的に送りつけていた。
【０００３】
上記のプレスリリースの方法は、いずれにしても情報提供者から報道関係者等に情報が一方的に送られるものであるため、受け取る側の受け取り状況（繁忙時や情報の大量受け取り等）が考慮されることがなく、そのため有効な情報が埋もれてしまったりタイミングよく活用されないという事態が起きていた。
報道関係者にとっては、情報がアットランダムに送り主側の事情で勝手に送りつけられるため、この情報を整理・保管するのに手間取り、本当に情報を必要とするときには目的の情報が見つけにくい状況となっていた。
【０００４】
一方情報提供者側にとっては、報道関係者に送った情報が有効に活用されているかを確認することができず、すなわち情報を受けた報道関係者へのプレスリリースの伝達の確認ができないという問題点があった。
【０００５】
このような問題を解決する目的から、プレスリリース検索サイトを開催するようにしたシステム等も存在するが、そのシステムによってもやはり上記の問題を全て解決することは困難であった。
【０００６】
【特許文献１】特開２００３−３３１１９１号公報
【発明の開示】
【発明が解決しようとする課題】
【０００７】
すなわち、この特許文献１に記載されたプレスリリース支援システムでは、提供された情報の一覧タイトルが表示されないので効率的なチェックが難しく、また提供された情報ごとのログレポートが存在しないため、個別情報に対するアクセス数のチェックができず、さらにはモバイル機器への連絡機能がないため利便性が悪く、また一定時間を経過した情報の分類仕分けが行なわれないため過去情報を有効に蓄積整理することもできず、依然として上記の問題を解決できる態勢ではなかった。
【課題を解決するための手段】
【０００８】
上記目的を達成するために、請求項１記載の発明は、プレスリリースに関する情報データをウェブサーバに蓄積する情報データ蓄積手段と、この情報データを予め設定したカテゴリーに仕分けする分類仕分け手段と、この情報データのタイトル並びに概要をブラウザ画面に一覧表示するタイトル表示手段と、タイトル表示手段の該当情報データを前記ウェブサーバから読み出してブラウザ画面に詳細表示する情報データ表示手段と、情報データごとのアクセス数をカウントして報告するログレポート手段と、プレスリリース後一定期間を経過した情報データをまとめてウェブサーバに蓄積して過去のリリース情報としてブラウザ画面に表示する経過情報データ表示手段と、今後の記者会見の開催を告知する記者会見告知手段と、を備え、インターネットを介して上記全ての情報データの検索が可能となるように構成したことを特徴とするプレスリリース支援システムである。
【０００９】
請求項２記載の発明は、商品提供可能である旨をブラウザ画面に表示するプレス向けサンプル提供表示手段を備えたことを特徴とする請求項１記載のプレスリリース支援システムである。
【００１０】
請求項３記載の発明は、モバイルツールに情報データのタイトルと概要を配信するモバイル配信手段を備えたことを特徴とする請求項１又は２記載のプレスリリース支援システムである。
【発明の効果】
【００１１】
以上述べたように、請求項１のプレスリリース支援システムによれば、報道関係者の方からプレスリリースに関する情報データを求めに来るので、事前に特定業界についての情報を得たい立場の報道関係者を登録しておくことにより、自らの意思で情報データを欲している者に対し、有効な情報データをタイムリーに配信することができ、かつ情報提供者側からは、プレスリリースをしたいと欲した時点でいつでもプレスリリースの発信が可能となり、また個別の情報データごとのログレポートを入手することもでき、報道関係者にとっては必要なときに効率よく情報データを簡単に入手できるという効果がある。
【００１２】
請求項２のプレスリリース支援システムによれば、報道関係者がサンプルを入手することが簡単に行なえるため、サンプルを入手して今後の報道に活用できるので、上記に述べた効果を一層向上させることが可能となる。
【００１３】
請求項３のプレスリリース支援システムによれば、報道関係者が自らのモバイルツールにタイムリーな情報データを入手できるので、上記に述べた効果を一層向上させることが可能となる。
【発明を実施するための最良の形態】
【００１４】
以下添付図面に基づいて、本発明に係るプレスリリース支援システムの実施例を詳説する。
図１は本発明の全体を示す構成図であり、図２は請求項１の支援システムの詳細構成図であり、図３は請求項２の支援システムの詳細構成図、図４は請求項３の支援システムの詳細構成図、図５はモバイルツールへの配信状況を説明する説明図である。
【実施例１】
【００１５】
本発明のプレスリリース支援システム１は、プレスリリース（情報データ２）を発信する側の情報提供者２７を例えば食品業界のように、特定のテーマで絞ることで各種のニーズに応えられるプレスリリースが可能となり、画期的なプレスリリースサイトが構築される。
【００１６】
図１に示すように、情報提供者２７の発信する情報データ２はウェブサーバ３にいつでも自由に蓄積され、インターネット２０を介して報道関係者２８の適宜のブラウザ画面に必要に応じて表示され、情報提供者２７が提供した情報データ２に対するアクセス数は、ウェブサーバ３で計数されて、必要な時期に情報提供者２７にログレポート１８として報告される。
【００１７】
ついで図２に示されるように、ウェブサーバ３上では次の各手段、すなわち情報データ蓄積手段４、分類仕分け手段５、タイトル表示手段６、情報データ表示手段７、ログレポート手段８、経過情報データ表示手段９、記者会見告知手段１０がウェブサーバ３の働きにより実行される。
【００１８】
まず情報データ蓄積手段４は、情報提供者２７が報道関係者２８に対し、プレスリリースする情報データ２を送信してきた際に、その情報データ２をウェブサーバ３に蓄積していくための手段である。
【００１９】
分類仕分け手段５は、ウェブサーバ３に蓄積された情報データ２を予め設定したカテゴリー、例えば食品の種類別（水産加工品、麺類、菓子、酒類等）、業態別（卸売り、給食、外食、研究機関、官公庁等）のようなカテゴリー別に、ウェブサーバ３が仕分けする手段であり、情報データ２を閲覧したり検索したりすることを容易にするためのものである。
【００２０】
タイトル表示手段６は、ウェブサーバ３が、情報データ２のタイトル２２並びに概要２３を報道関係者２８の管理するブラウザ画面に一覧表示する手段であり、報道関係者２８がそのブラウザ画面を一読するだけで容易に内容を理解できる手助けを行なうためのものである。
【００２１】
情報データ表示手段７は、ウェブサーバ３が、タイトル表示手段６で選択された特定の情報データ２をウェブサーバ３から読み出して報道関係者２８のブラウザ画面にその内容を詳細に表示する手段であり、報道関係者２８が興味を持っている情報データ２をすばやく表示させるためのものである。
【００２２】
ログレポート手段８は、ウェブサーバ３が、情報データ２ごとの報道関係者２８からのアクセス数をカウントし、そのカウントに基づきログレポート１８の形式で情報提供者２７に報告を行う手段のことであり、情報提供者２７が有効なアクセス数を正確に知ることが可能となる。
【００２３】
経過情報データ表示手段９は、ウェブサーバ３に蓄積された情報データ２が一定時間（例えば、登録後１ヶ月）を経過した時点で、ウェブサーバ３が、当該情報データ２を過去のリリース情報として経過情報データに仕分けし、新しい情報データ２と区別して、報道関係者２８の情報データ２の検索を容易に行えるようにする手段のことであり、報道関係者２８がキーワードやカテゴリー等の観点で検索を容易に行ってブラウザ画面上に過去のリリース情報といえども簡単に呼び出すことができ、特定のテーマの特集記事を書く際の効率的な検索を行なうためのものである。
【００２４】
さらに、経過情報データ表示手段９は、情報提供者２７側からも全ての経過情報データを自由に閲覧できるようにしたものであり、これにより情報提供者２７の企業にとって他社のニュースリリース状況を簡単に知ることができ、今後の自社のニュースリリース対策を容易に講ずることができるようになる。
したがって、情報提供者２７も、報道関係者２８と同様の方法でキーワードやカテゴリー等の観点から検索を容易に行うことができる。
【００２５】
ついで記者会見告知手段１０は、ブラウザ画面に表示されるカレンダー上に今後の記者会見の開催を事前に報道関係者２８に知らせる手段のことであり、報道関係者２８がその記者会見により確実に将来の情報データ２を見られるようにするためのものである。例えば、記者会見の開催を公開するためのアイコンを用意しておき、そのアイコンをクリックすることで将来の記者会見開催の告知の詳細情報を見られるようにすることが可能となる。
【実施例２】
【００２６】
実施例２のプレスリリース支援システム１は、上記の各手段に加えてプレス向けサンプル提供表示手段１１を備えたもので、情報提供者２７から報道関係者２８に直接商品等のサンプルを無償提供して、実体験に基づいた迫力ある記事の作成をバックアップすることができる。具体的には、商品説明と共にサンプル提供数をウェブサーバ３に事前設定することができ、ウェブサーバ３の管理の下、提供数に達した時点で、サンプル提供表示は、過去のリリース情報として経過情報データに移行されることになる。
【実施例３】
【００２７】
実施例３のプレスリリース支援システム１は、上記の各手段に加えてモバイル配信手段１２を備えたもので、報道関係者２８の携帯電話等のモバイルツール２１に、事前登録した条件（カテゴリー、企業名などの好みの条件）に合致する情報データ２に、当該情報データ２のタイトル２２並びに概要２３を配信することができるので、報道関係者２８にとっては出先からでも直ちに情報データのチェックが可能となる利点がある（図５参照）。
【産業上の利用可能性】
【００２８】
本発明のプレスリリース支援システムは、プレスリリースをしたい側、並びに効率的なプレスリリースに立ち会いたい報道関係者側の双方が参加するサイトにおいて特に利用することが可能である。
【図面の簡単な説明】
【００２９】
【図１】本発明の全体を示す構成図である。
【図２】請求項１の支援システムの詳細構成図である。
【図３】請求項２の支援システムの詳細構成図である。
【図４】請求項３の支援システムの詳細構成図である。
【図５】モバイルツールへの配信状況を説明する説明図である。
【符号の説明】
【００３０】
１…プレスリリース支援システム
２…情報データ
３…ウェブサーバ
４…情報データ蓄積手段
５…分類仕分け手段
６…タイトル表示手段
７…情報データ表示手段
８…ログレポート手段
９…経過情報データ表示手段
１０…記者会見告知手段
１１…プレス向けサンプル提供表示手段
１２…モバイル配信手段
１８…ログレポート
２０…インターネット
２１…モバイルツール
２２…情報データのタイトル
２３…情報データの概要
２７…情報提供者
２８…報道関係者
【図１】
2006209454.tif 000003
【図２】
2006209454.tif 000004
【図３】
2006209454.tif 000005
【図４】
2006209454.tif 000006
【図５】
2006209454.tif 000007